Podtech/llm-jp-corpus-v4-ja_patent huggingface dataset:
(57)【要約】      （修正有）【課題】便座に座ることなく立ったままで排尿をすることができ、便器周辺を汚すことのない洋式便器の立ち小便器を提供する。【解決手段】便器と便座との隙間に排尿通路本体を取付け、さらに排尿通路本体にエルボウを介して排尿筒を取付け、収納位置と使用位置との間で排尿筒を回動自在とした。また、排尿筒を使用位置に配置させたとき、電磁弁スイッチが入り、排尿筒の上部内側より洗浄水が流れるようにした。【選択図】図１
2015186560.tif 000002
【特許請求の範囲】
【請求項１】
便器と便座の隙間を６ミリ鉄筋に守られて厚さ６ミリの送水管で排尿して水洗を可能にし、送水管に１５°上方に角度をつけたことで（図３参照）、パッキンに異常が起きても。逆流しない。その１５°の角度が立ち上がった排尿筒の位置を内側に変えるので、狭いトイレでも中央あたりで、用便が出来る利点がある点。これら、排尿筒に入った尿が洋式便器内に入るまでの一連の流れ
【発明の詳細な説明】
【技術分野】
【０００１】そのまま使い続けても、何も問題は生じないよう使用中は常に、電磁弁の作用で水洗出来るようにしました。
【背景技術】
【０００２】現代の一般庶民の家庭では、男性専用の便器のあるところは少なく住民の多くの男性が、若ければ若いほど、女性には理解しにくい悩みを持っているものと思います。その悩みは、この発明で解決出来るのです。
【先行技術文献】
【特許文献】
【０００３】出願（申請）平成２５年３月  ４日  識別番号  ５１０２８９０２１
受付        平成２５年３月  ６日  受付番号２１３００４２００８３
出願（申請）番号  特願２０１３−６０８９８【０００４】出願（申請）平成２５年１０月２３日  識別番号  ５１０２８９０２１
受付        平成２５年１０月２５日  受付番号  ２１３０２０１００９９
事件の表示  特願  ２０１３−２００５４６
【非特許文献】
【・・・・】
【非特許文献１】
【発明の概要】
【発明が解決しようとする課題】
【０００３】男性は、小便は立ってしたい願望があります。しかし、立って排尿すれば思わぬ方向へ飛び散ったりして便器周辺を汚し結局、便座に座ってするように躾けられているようです。これを解決してあげたい。
出願（申請）番号    特願２０１３−２００５４６、を全面的に改良して、発明本体を洋式便器に直接取り付け便座の蓋をしたまま立ち小便が出来る様に改善し、排尿位置ではスイッチ・オンになり排尿中は水洗して清潔を保ち、奥へ倒して収納すれば水も止まり手間いらずになりました。
【課題を解決するための手段】
【０００４】便器と便座の間が５〜７ミリ有ることに着目して尿の通路確保した。【０００５】排尿位置でスイッチが入るようにして、電磁弁により水道から水を引き排尿中は、水洗して終わって、奥に戻せば水も止まり手間要らずになりました
【発明の効果】
【０００６】手間が省けて使用時間が短縮出来て８０才の老体も誰にも気兼ねなしで、安らかな日々を送れます。
男性は、立って小便をすれば、全部出るので一晩に数回行っていた回数が１回になり、熟睡できるようになりました。
【図面の簡単な説明】
【０００７】
【図１】この図の寸法は、おおよそ４０％の縮尺で書きました。
【図２】使用中の状態を、おおよそ４０％の縮尺で表しました。
【図３】主要な部分の断面を原寸大で表しました。
【図４】主要な部分の平面図を原寸大で表しました。
【発明を実施するための形態】
【０００８】６５歳以上の元気でしっかりした名目老人が、一集落に５０人もいる現実を受け入れて、溶接など特殊技術持った老人を掘り起こして活用すれば、立派な製品が出来るのではと思い、年金を受給しながらの小遣い銭稼ぎが出来不況に強い老人パワー会社が出来るのではと思います。
【図１】
2015186560.tif 000003
【図２】
2015186560.tif 000004
【図３】
2015186560.tif 000005
【図４】
2015186560.tif 000006
【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
（１）（２）と２個の構成よりなる
（１）  この発明の最大の特徴は（図４）の厚み６ミリ幅４０ミリの送水管を作成し、洋式便器と便座の隙間を通して連続して水や尿を流せるようにして水洗を可能した、（図３）の部品の形状は、平らな送水部分８０ミリそれより上方に１５°角度をつけて丸パイプにして、その丸パイプ部分の長さは５０ミリその内側に入る大きさのパイプに先端より１０ミリの位置に溝を掘り１７．８ミリのＯリングをはめて逆流を阻止してその部分を起点にして９０°回転できるようしたことで、（図２）の使用時と収納時の位置を変えて使いやすくし主要部分につけた１５°（図１）の角度で立ち上がった先にある排尿筒の位置が内側に傾くため狭いトイレでも壁から離れて使用できるようにした点と、この主要部分を安定して使用できるようにするため（２）と組み合わせる
（２）６ミリの鉄筋とＬ型鉄、Ｕネジ、ゴム付ワッシャ、固定用ボルトを使って制作した部品（図３）で平らな送水部分を保護しながら洋式便器本体へしっかりと固定して安定した使用を可能にした点。
(57)【要約】【課題】背幅調整可能な伸長ファイルにおいて書棚などからファイルを取り出す場合、背表紙を引っ張ることが多く、そのため背表紙が破損する場合がある。背表紙が破損する主な原因は背表紙の材質が紙製で、繰り返し使用していくことで破れることが多い。課題は背表紙に補強を施すことで強度を高め、繰り返して使用しても破れにくくし、破損を防ぐようにするとともに、汚れや経年劣化にも対応する。【解決手段】紙製の背表紙の一部分もしくは全部を補強することで美観を保護し且つ破損しにくくする。【選択図】図１
2015186899.tif 000002
【特許請求の範囲】
【請求項１】
背幅調整可能な伸長ファイルの背表紙部に補強用フィルムを貼り付けることで、背表紙の強度を高め、繰り返しの使用でも背表紙の破損を低減することを特徴とする背幅調整可能な伸長ファイル。
【請求項２】
背幅調整可能な伸長ファイルの背表紙部に補強用フィルムを貼り付けることで、繰り返しの使用でも背表紙の汚れや経年劣化を低減し、使用時や収納保管時の美観を損ねないことを特徴とする背幅調整可能な伸長ファイル。
【発明の詳細な説明】
【技術分野】
【０００１】  本発明は、背幅調整可能な伸長ファイルの背表紙に関するものである。
【背景技術】
【０００２】  従来の背幅調整可能な伸長ファイルにおいて、綴じ具部分を除く表紙や背表紙など基本となる構成部材は紙製である。【０００３】  背幅調整可能な伸長ファイルの性質上、大量の紙葉片を綴じることとなる。Ａ４サイズ対応の背幅調整可能な伸長ファイルで背幅が１０ｃｍ伸長する場合、約１０００枚の紙葉片を綴じることができ、その重量は紙葉片だけで最大約２ｋｇに達する。【０００４】  最大約２ｋｇの紙葉片を綴じた背幅調整可能な伸長ファイルを書棚などから取り出す際、背表紙の上部に指をかけ取り出すことがほとんどである。これは伸長ファイルに取っ手やつまみ、指掛け用の穴などが設けられていないためであり、また背幅調整可能な伸長ファイルにこれらの機能をつけることは構造上考えにくいことと、コスト面でも現実的ではない。
【先行技術文献】
【特許文献】
【０００５】
【特許文献１】実用新案登録第３１４５３４７号公報
【発明の概要】
【発明が解決しようとする課題】
【０００６】  伸長ファイルを繰り返し使用していくと、背表紙が引っ張られることによって破れたり破損したりする。また手垢による汚れや背表紙の変形や劣化も目立つようになる。そこで紙製の背表紙の一部分または全部に補強用フィルムを貼り付け、背表紙の強度を高めると共に経年劣化による外観の美観の変化をおさえる。
【課題を解決するための手段】
【０００７】  背幅調整可能な伸長ファイル１の背表紙２を補強することで、上記課題を解決する。背表紙２に補強用フィルム３を貼り付けることで背表紙２を補強する。フィルムの材質については一般的にＰＰフィルムが考えられるが、補強に適した材質であればここでは問わない。補強用フィルム３を背表紙２に貼り付けることに関しても、一般的には糊を使用するものであるが、適した方法であればここでは問わない。
【発明の効果】
【０００８】  本発明により、背幅調整可能な伸長ファイルの背表紙が補強されたことで、通常の使用には充分に耐えることができる。使用時の背表紙部分の破損が著しく軽減され、且つ背表紙の経年劣化や汚れについても軽減される。使用時又は書棚などに収納した際の美観を損ねない。
【図面の簡単な説明】
【０００９】
【図１】本発明の背幅調整可能な伸長ファイルの斜視図である。
【図２】背幅調整可能な伸長ファイルの背幅の変化を表した斜視図である。
【図３】紙葉片を綴じた状態の背幅調整可能な伸長ファイルの斜視図である。
【図４】使用状態を示す参考斜視図である。
【図５】背幅調整可能な伸長ファイルが破損した状態を示す参考斜視図である。
【図６】本発明の背幅調整可能な伸長ファイルの正面図である。
【図７】Ａ−Ａ断面図である。
【図８】Ｂ−Ｂ断面図である。
【図９】Ｃ部拡大図である。
【発明を実施するための形態】
【００１０】  本発明は、背幅調整可能な伸長ファイルの背表紙に、補強用フィルムを貼り付けることで、すべての課題を解決した。
【符号の説明】
【００１１】１  背幅調整可能な伸長ファイル
２  背表紙
３  補強用フィルム
４  表紙
５  裏表紙
６  紙葉片
【図１】
2015186899.tif 000003
【図２】
2015186899.tif 000004
【図３】
2015186899.tif 000005
【図４】
2015186899.tif 000006
【図５】
2015186899.tif 000007
【図６】
2015186899.tif 000008
【図７】
2015186899.tif 000009
【図８】
2015186899.tif 000010
【図９】
2015186899.tif 000011
(57)【要約】【課題】手縫いで仕上げられる皮革工業製品の縫目は、使用される縫い糸が常に一色である為、仕上がった製品の縫目は単色になり、製品の個性や多彩性を表現することに限界があった。【解決手段】縫い糸を全長の中心から２色に染め分ける加工を施すことによって、縫い上がった縫目が必ず２色交互に仕上がる。【選択図】図１
2015186656.tif 000002
【特許請求の範囲】
【請求項１】
皮革加工用手縫い糸を全長の中心から２色加工を設けたことにより縫目が必ず２色交互になる事を特徴とする手縫い用縫い糸。
【請求項２】
前記２色加工縫い糸は、麻製とナイロン製の２種類あることを特徴とする請求項１記載の皮革加工用手縫い糸。
【発明の詳細な説明】
【技術分野】
【０００１】この発明は、手縫いで仕上げる皮革、人工皮革製品の縫目の仕上がり色に関する。
【背景技術】
【０００２】従来の手縫い糸を用いて各種の皮革、人工皮革製品の手縫い製作作業を行うと、図５、図６に示すように、平凡な一色のみで仕上がる。
【発明の概要】
【発明が解決しようとする課題】
【０００３】しかしながら、以上の技術によれば、この先、現状以上の仕上がりの向上や多彩性を生み出すことは不可能である。そこで、この発明は縫目の色合いの仕上がりに、今までに無い無限の多彩性を提供することを課題とする。
【課題を解決するための手段】
【０００４】以上の課題を解決するために、この発明は、手縫い用の縫い糸を全長の中心から２色に染めわける事とする手縫い糸である。
【発明の効果】
【０００５】この発明により、今までのように平凡な一色で縫い上がる縫目と違い、一本の縫い糸を製品に合わせた制限の無い２色の組み合わせで縫い上げることにより、縫目が必ず２色交互に仕上がるようになり、仕上がった皮革製品の表情や色彩に、無限の多彩性を表現することが可能となった。
【図面の簡単な説明】
【０００６】
【図１】この発明の実施形態を示す外観図である。
【図２】この発明の実施形態を示す断面図である。
【図３】この発明の実施形態を示す斜視図である。
【図４】従来技術を示す外観図である。
【図５】従来技術の実施形態を示す断面図である。
【図６】従来技術の実施形態を示す斜視図である。
【発明を実施するための形態】
【０００７】この発明の一実施形態を、図１、図２、図３に示す。図１の手縫い糸の本体１は麻製であり、この本体１の全長の中心から２色に別れる様に染色加工がなされている。皮革加工用手縫い糸は麻製とナイロン製の２種類が存在している。ナイロン製でもこの発明の２色加工が可能である。各図の細かい両斜線は２色の色の違いを示す。図１の２は手縫い糸の両端に各一本通す針を示す。図２は皮革に縫い糸が２色交互に縫われている状態を示す断面図である。図３は縫い糸が２色交互に縫い上がった縫目を示す斜視図である。
【産業上の利用可能性】
【０００８】靴、鞄、ベルト、財布、装飾品、服飾、小物入れ、置物等の皮革、人工皮革製品などや椅子、テーブル等の家具、自動車の皮革、人工皮革製内装に利用可能。
【符号の説明】
【０００９】１  手縫い用２色加工縫い糸本体            ２  手縫い糸の両端に各一本通す針
３  従来の手縫い糸                        ４  手縫い糸の両端に各一本通す針
【図１】
2015186656.tif 000003
【図２】
2015186656.tif 000004
【図３】
2015186656.tif 000005
【図４】
2015186656.tif 000006
【図５】
2015186656.tif 000007
【図６】
2015186656.tif 000008
(57)【要約】【課題】  従来は、ハンドルグリップ部周辺を覆うカバーであり、手をある程度（寒さ等）保護することができますが、プロテクターの取り付けや強靭に手を保護することはできない。【解決手段】  バックミラー本体と、手を保護するためのプロテクターとからなることを特徴とする。【選択図】図１
2015186986.tif 000002
【特許請求の範囲】
【請求項１】
バックミラー本体と、手を保護するためのプロテクターとからなることを特徴とするハンドプロテクトバックミラー。
【請求項２】
前記プロテクターが、板状であることを特徴とする請求項１記載のハンドプロテクトバックミラー。
【請求項３】
前記プロテクターが、可変自在な可変具にて前記バックミラー本体に連結してなることを特徴とする請求項１又は２記載のハンドプロテクトバックミラー。
【請求項４】
ミラーアーム等に取り付けるべく取付具を設けてなることを特徴とする請求工１・２又は３記載のハンドプロテクトバックミラー。
【発明の詳細な説明】
【技術分野】
【０００１】    本発明は、オートバイや自転車などのバックミラーにプロテクターを設けたハンドプロテクトバックミラーに関する。
【背景技術】
【０００２】  従来の技術としては、２輪車のバックミラーは一部のカウリング装着を行っている２輪車を例外として。ハンドル部に連結部品を介してパイプ上に取り付けられてきた。ハンドル上に１点を軸にミラーを支持する片持ち式（ミラーアーム）が常識だった。【０００３】  また、別の従来技術として、同様なものではないが、スクーター、自転車、二輪車用のブレーキレバーなどを含む、ハンドルグリップ部周辺を覆うカバーで、ハンドルを握る方向から手が入るように運転者側に当たる面を開け、内部に雨滴が進入しても滴が伝わって外部に落ちるよう地面側になるカバー底部を傾斜させるか湾曲させて水抜き穴を設け、カバー本体を薄い合成樹脂材等で成型し、ハンドル軸側に当たる側面は中央に開口部を設け、開口部をゴムなどの弾力性のある素材、または伸縮できる機構とし、その弾力性のある素材、伸縮できる機構の開口部を押し開きながら、ブレーキバー、ハンドルグリップ部、ハンドルに付属するものを通し、ブレーキ、変速機のワイヤー、電気系統線等ハンドルに隣接するものとハンドルを包み込み、ハンドルグリップ外のハンドル部に弾力性の持つ素材の復元力や伸縮部を締め付けて固定することを特長としたスクーター、自転車、二輪車用の防雨・防風用ハンドルグリップカバーがある。（特許文献１参照）
【先行技術文献】
【特許文献】
【０００４】
【特許文献１】  特開２０１０−２２８５８８号公報
【発明の概要】
【発明が解決しようとする課題】
【０００５】  一般に販売されているオートバイや自転車等のバックミラーには手（指）を保護する機能はない。
特許文献１においても、ハンドルグリップ部周辺を覆うカバーであり、手をある程度（寒さ等）保護することができますが、プロテクターの取り付けや転倒時等に手を保護することはできない。【０００６】  本発明は、このような従来の問題点に鑑みなされたもので、手（指）を転倒等から保護できると共に、バックミラー等が破損した場合も簡単に取り外し・取り付けができ、かつ、色々なデザインのバックミラーを装置できるハンドプロテクトバックミラーを提供することを目的とする。
【課題を解決するための手段】
【０００７】  バックミラー本体と、手を保護するためのプロテクターとからなること。前記プロテクターが、板状であること。前記プロテクターが、可変自在な可変具にて前記バックミラー本体に連結してなり、ミラーアーム等に取り付ける取付具を設けたハンドプロテクトバックミラーである。
【発明の効果】
【０００８】１）、バックミラー本体にプロテクターを設けることにより、バックミラーの機能にプラスし、走行中に枝や突起物が手に当たることを防止することができる。また、取り付けるミラーアームは一般に販売されるものでもよい。
２）、プロテクターが板状であることにより、色々な形成に加工でき、デザインを自由にできる。
３）、可変具により、プロテクターの角度を自分に合った角度に固定できると共に、プロテクター及び／またはバックミラー本体を交替できる。
４）、取付具により、一般に販売されているミラーアームにも簡単に取り付け、取り外しができる。
【図面の簡単な説明】
【０００９】
【図１】  本発明の第１実施例を示すハンドプロテクトバックミラーの正面図。
【図２】  本発明の第１実施例を示すハンドプロテクトバックミラーの側面図。
【図３】  本発明の第２実施例を示すハンドプロテクトバックミラーの正面図。
【図４】  本発明の第２実施例を示すハンドプロテクトバックミラーの側面図。
【図５】  本発明の第１実施例を示すハンドプロテクトバックミラーの使用状態図。
【発明を実施するための形態】
【００１０】  １は第１実施例のハンドプロテクトバックミラーで、鏡を設けたバックミラー本体１ａの下部に手（指）等を保護すべく、ブレーキレバーの先端より下方に延出した合成樹脂製等による四角形平板状のプロテクター１ｂを一体に形成してある。
また、プロテクター１ｂの内側上部水平方向２箇所に、蝶番１ｃ１にて一方を開閉自在に形成してなるバンド１ｃ２・１ｃ２をボルトＢにて、一般に市販されているミラーアーム等に取り付ける取付具１ｃを設けてある。（図１・図２）
２１は第２実施例のハンドプロテクトバックミラーで、鏡を設けたバックミラー本体２１ａと略台形状のプロテクター２１ｂとを可変（角度）自在な蝶番２１ｄをビスＢＳにて連結してある。
また、前記取付具１ｃと同様な取付具２１ｃを蝶番２１ｄの背面に一体的に突設してある。（図３・図４）
【００１１】  ハンドプロテクトバックミラー１の使用例について説明する。
ハンドルバーＨＢに取り付けてあるミラーアームＭＡを例えば下方に折り曲げ、先端部Ｓを水平方向に折り曲げる。この先端部Ｓに、ボルトＢにて取付具１Ｃを取り付ける。
この時、ブレーキレバーＢＲはプロテクター１ｂの内側に位置させる。
【００１２】  なお、上記各実施例において各部位の材質・大きさ・形状等は限定するものではない。
【符号の説明】
【００１３】１・２１――ハンドプロテクトバックミラー
１ａ――――バックミラー本体
１ｂ――――プロテクター
１ｃ――――取付具
ＨＢ――――ハンドルバー
ＭＡ――――ミラーアーム
【図１】
2015186986.tif 000003
【図２】
2015186986.tif 000004
【図３】
2015186986.tif 000005
【図４】
2015186986.tif 000006
【図５】
2015186986.tif 000007
(57)【要約】【課題】本発明は、電磁気及び静電気の影響がステータコイルに及ぶことを回避できるとともに、レゾルバの小型化を可能とすることができるレゾルバコイルカバーを提供することを目的とするものである。【解決手段】本発明によるレゾルバコイルカバーは、レゾルバステータ１の両面に取り付けられて、ステータコイル３を覆うためのものである。レゾルバコイルカバー４は、導電性フィラーが混入された樹脂成型品により構成さている。導電性フィラーは、ステンレス鋼又はアルミニウム等の金属繊維であり、レゾルバコイルカバー４を構成する樹脂に均一に分散されている。【選択図】図１
2015186416.tif 000002
【特許請求の範囲】
【請求項１】
レゾルバステータの両面に取り付けられて、ステータコイルを覆うレゾルバコイルカバーであって、
導電性フィラーが混入された樹脂成型品により構成されている
ことを特徴とするレゾルバコイルカバー。
【請求項２】
前記導電性フィラーは、金属繊維であることを特徴とする請求項１記載のレゾルバコイルカバー。
【発明の詳細な説明】
【技術分野】
【０００１】
本発明は、レゾルバのステータコイルを覆うレゾルバコイルカバーに関する。
【背景技術】
【０００２】
従来用いられていたこの種のレゾルバコイルカバーとしては、例えば下記の特許文献１等に示されている構成を挙げることができる。すなわち、従来構成では、樹脂材が所定形状に成形された樹脂成型品によりレゾルバコイルカバーを構成し、そのレゾルバコイルカバーをレゾルバステータの両面に取り付けてステータコイルを覆っている。
【先行技術文献】
【特許文献】
【０００３】
【特許文献１】特開２００７−２０９１７７号公報
【発明の概要】
【発明が解決しようとする課題】
【０００４】
上記のような従来構成では、樹脂材が所定形状に成形された樹脂成型品によりレゾルバコイルカバーが構成されているので、レゾルバが搭載される周辺に存在する電磁気及び静電気の影響がステータコイルに及ぶ。この電磁気等の影響を回避するために、金属板からなるシールド部材をレゾルバコイルカバーに重ねるか、又はシールド部材をレゾルバコイルカバーと一体成形することが考えられる。しかしながら、このような構成では、シールド部材の分だけレゾルバ全体の厚みが増すため、レゾルバの小型化を阻害するおそれがある。
【０００５】
本発明は、上記のような課題を解決するためになされたものであり、その目的は、電磁気及び静電気の影響がステータコイルに及ぶことを回避できるとともに、レゾルバの小型化を可能とすることができるレゾルバコイルカバーを提供することである。
【課題を解決するための手段】
【０００６】
本発明に係るレゾルバコイルカバーは、レゾルバステータの両面に取り付けられて、ステータコイルを覆うレゾルバコイルカバーであって、導電性フィラーが混入された樹脂成型品により構成されている。
【発明の効果】
【０００７】
本発明のレゾルバコイルカバーによれば、導電性フィラーが混入された樹脂成型品により構成されているので、電磁気及び静電気の影響がステータコイルに及ぶことを回避できるとともに、レゾルバの小型化を可能とすることができる。
【図面の簡単な説明】
【０００８】
【図１】本発明の実施の形態１によるレゾルバコイルカバーを含むレゾルバの断面図である。
【発明を実施するための形態】
【０００９】
以下、本発明を実施するための形態について、図面を参照して説明する。
実施の形態１．
図１は、本発明の実施の形態１によるレゾルバコイルカバー４を含むレゾルバの断面図である。図において、レゾルバは、レゾルバステータ１、樹脂カバー２、ステータコイル３、及びレゾルバコイルカバー４を含んでいる。
【００１０】
レゾルバステータ１は、輪状の金属体により構成されるものであり、周方向に互いに間隔をおいて径方向内方に突出された複数のティース１０を有するものである。樹脂カバー２は、各ティース１０を覆うようにレゾルバステータ１に取り付けられた樹脂部材である。樹脂カバー２は、レゾルバステータ１の表裏両面に取り付けられるか、又はレゾルバステータ１に一体成型される。ステータコイル３は、レゾルバステータ１の各ティース１０に樹脂カバー２を介して巻回されている。樹脂カバー２は、ステータコイル３とレゾルバステータ１との間を電気的に絶縁している。
【００１１】
レゾルバコイルカバー４は、レゾルバステータ１の両面に取り付けられて、ステータコイル３を覆う部材である。本実施の形態のレゾルバコイルカバー４は、導電性フィラーが混入された樹脂成型品により構成さている。導電性フィラーは、ステンレス鋼又はアルミニウム等の金属繊維であり、レゾルバコイルカバー４を構成する樹脂に均一に分散されている。レゾルバの周辺に存在する電磁気及び静電気は、レゾルバコイルカバー４によってシールドされる。
【００１２】
このようなレゾルバコイルカバー４では、導電性フィラーが混入された樹脂成型品により構成されているので、レゾルバコイルカバー４自体が電磁気及び静電気へのシールド性能を有する。これにより、レゾルバコイルカバー４に別途シールド材を取り付けたり一体成型したりする必要を無くすことができ、電磁気及び静電気の影響がステータコイル３に及ぶことを回避できるとともに、レゾルバの小型化を可能とすることができる。また、レゾルバコイルカバー４に別途シールド材を取り付けたり一体成型したりする場合、シールド材を別材料として準備する必要があり、製造コストを増大させる原因となることがあるが、本実施の形態の構成を採ることで、シールド材を別材料として準備する必要を無くすことができ、製造コストの増大を回避できる。
【符号の説明】
【００１３】
１  レゾルバステータ
２  樹脂カバー
３  ステータコイル
４  レゾルバコイルカバー
【図１】
2015186416.tif 000003
(57)【要約】      （修正有）【課題】肉や魚の調理方法に関し、食感に優れ、色調・艶が良く、離水量が少なくボリューム感が維持され、かつ短時間で出来るフライやソテーの調理方法の提供。【解決手段】事前に食材の中心温度を５８度以上、６８度未満に加熱して置く事で、フライやソテーの調理時間を短縮する方法。食材を防水パックに入れ、６３度に保温した湯に入れ、１時間加熱し、食材を防水パックから取り出し汁を拭き、衣を着けて高温の油で約１分間揚げる調理方法。【効果】脱水作用の発生を阻止し、技能を必要とせず、誰でも簡単かつ短時間でやわらかいフライやソテーの調理を可能とする。【選択図】なし【特許請求の範囲】
【請求項１】
食材の中心温度を５８度以上、６８度未満に加熱して置く事で、フライやソテーの時間を短縮した調理法
【発明の詳細な説明】
【技術分野】
【０００１】本発明は、肉や魚の調理方法に関する。さらに詳しくは、食感に優れ、色調・艶が良く、離水量が少なくボリューム感が維持され、かつ短時間で出来るフライやソテーの調理方法に関する。
【背景技術】
【０００２】フライやソテーの調理は火を通し過ぎれば、食材が縮み硬くなり、火の通しが足りないと食中毒が発生していました。
【発明の概要】
【発明が解決しようとする課題】
【０００３】通常、フライやソテーの調理は食材が生の状態から調理を行う為、時間がかかり、また調理人の技能が低いと食材の中心温度が６８度以上になる為、脱水作用により、食材が縮み硬くパサついた物になっていました。
【課題を解決するための手段】
【０００４】事前に食材の中心温度を５８度以上、６８度未満に加熱して置く事で、フライやソテーの調理時間を短縮、脱水作用の発生を阻止します。
【発明の効果】
【０００５】技能を必要とせず、誰でも簡単かつ短時間でやわらかいフライやソテーの調理を可能とする。
【発明を実施するための形態】
【０００６】食材を防水パックに入れ、６３度に保温した湯に入れ、１時間加熱し、食材を防水パックから取り出し汁を拭き、衣を着けて高温の油で約１分間揚げます。
(57)【要約】      （修正有）【課題】羽根車の中の羽根の先端部に取り付けた強力磁石で４方向から中心に向け、回転することによって反重力エンジンを得る。【解決手段】反重力エンジンの中心部を決め、４方向にそれぞれモーターと軸受けの真中に羽根車と称する物を置き、羽根の先端部に強力磁石｛Ｎｄ＋Ｆｅ＋Ｂ（ホウ素）の焼結合金｝を取り付け、４方向から中心に向って羽根車を回転することによって、反動力エンジンを得る。尚、大きさとか羽根の数には制限させないものとする。【選択図】図１
2015186440.tif 000002
【特許請求の範囲】
【請求項１】
反重力エンジンで大きさ又は、羽根車の羽根の数には無限とする。
【発明の詳細な説明】
先ず中心を沈め、４方向にそれぞれモーターと軸受の真ん中に羽根車ＭＡＩＮ  ＰＬＡＮ  Ｋ−１を置きその羽根の先端部に強力磁石を取り付け、４方向から中心に羽根車を回転することに
2015186440.tif 000003
尚大きさとか、羽根の枚数には制限させないものとする。
【図１】
2015186440.tif 000004
【図２】
2015186440.tif 000005
【図３】
2015186440.tif 000006
【図４】
2015186440.tif 000007
【手続補正書】
【提出日】平成26年7月18日(2014.7.18)
【手続補正１】
【補正対象書類名】明細書
【補正対象項目名】全文
【補正方法】変更
【補正の内容】
【発明の詳細な説明】
【０００１】図４や図５の中心部を決め、４方向にそれぞれモーターと軸受けの真中に羽根車と称する物を置き、図１、図２の羽根の先端部に強力磁石｛Ｎｄ＋Ｆｅ＋Ｂ（ホウ素）の焼結合金｝を取り付け、４方向から中心に向って羽根車を回転することによって、反動力エンジンを得る。尚  大きさとか羽根の数には制限させないものとする。
【図面の簡単な説明】
【０００２】
【図１】本発明の立面断面で羽根車である
【図２】
2015186440.tif 000008
【図３】本発明の４ヶ所の全体からの立面図である。
【図４】本発明の平面図である。
【図５】本発明の見取図である。
【手続補正２】
【補正対象書類名】図面
【補正対象項目名】全図
【補正方法】変更
【補正の内容】
【図１】
2015186440.tif 000009
【図２】
2015186440.tif 000010
【図３】
2015186440.tif 000011
【図４】
2015186440.tif 000012
【図５】
2015186440.tif 000013
(57)【要約】    【課題】  反りの小さいプリント配線板の提供    【解決手段】  プリント配線板は、樹脂絶縁層と樹脂絶縁層の表裏に形成されている導体層と表裏の導体層を繋ぐビア導体を有する。そして、樹脂絶縁層はガラスクロスを有する。また、樹脂絶縁層のヤング率は９．０Ｇｐａ以上であって、破断強度は１６０Ｍｐａ以上であって、延び率は１．８％以上であって、Ｔｇ（ガラス転移点）は１５５度以上であって、ＣＴＥ（熱膨張率）は３０ｐｐｍ以下である。【選択図】  図１
2015103636.tif 000002
【特許請求の範囲】
【請求項１】
樹脂絶縁層と、
前記樹脂絶縁層の両面に形成されている導体層と、
前記樹脂絶縁層を貫通し、前記両面の導体層を接続するビア導体と、を有するプリント配線板であって、
前記樹脂絶縁層は補強材を含み、前記樹脂絶縁層のヤング率は９．０Ｇｐａ以上であって、前記樹脂絶縁層の破断強度は１６０Ｍｐａ以上であって、前記樹脂絶縁層の延び率は１．８％以上であって、前記樹脂絶縁層のガラス転移温度は１５５度以上であって、前記樹脂絶縁層の熱膨張係数は３０ｐｐｍ／Ｋ以下である。
【発明の詳細な説明】
【技術分野】
【０００１】
本発明は、プリント配線板に関する。
【背景技術】
【０００２】
特許文献１は、絶縁層と、絶縁層の上面に設けられた配線と、絶縁層の下面に設けられた電極と、絶縁層を貫通し、配線と電極とを接続するビア導体とを備える半導体パッケージを開示している。
【先行技術文献】
【特許文献】
【０００３】
【特許文献１】特開２００２−１９８４６２号公報
【発明の概要】
【発明が解決しようとする課題】
【０００４】
特許文献１は、絶縁層の膜強度やガラス転移温度等の数値を開示している。しかしながら、特許文献１の数値を有する絶縁層で半導体パッケージが形成されると、ヒートサイクルで絶縁層にクラックが発生する可能性がある。また、絶縁層の厚みが６０μｍ以下で半導体パッケージの１辺の長さが３０ｍｍを越えると、プリント配線板の反りが大きくなりやすい。
【０００５】
本発明の目的は、反りの小さいプリント配線板を提供することである。
【課題を解決するための手段】
【０００６】
本発明に係るプリント配線板は、樹脂絶縁層と、前記樹脂絶縁層の両面に形成されている導体層と、前記樹脂絶縁層を貫通し、前記両面の導体層を接続するビア導体と、を有する。そして、前記樹脂絶縁層は補強材を含み、前記樹脂絶縁層のヤング率は９．０Ｇｐａ以上であって、前記樹脂絶縁層の破断強度は１６０Ｍｐａ以上であって、前記樹脂絶縁層の延び率は１．８％以上であって、前記樹脂絶縁層のガラス転移温度は１５５度以上であって、前記樹脂絶縁層の熱膨張係数は３０ｐｐｍ／℃以下である。
【図面の簡単な説明】
【０００７】
【図１】本発明の実施形態に係るプリント配線板の断面図
【発明を実施するための形態】
【０００８】
図１（Ａ）は実施形態に係るプリント配線板１０の断面を示している。図１にＸ軸とＹ軸、Ｚ軸が示されている。樹脂絶縁層の第１面Ｆや第２面ＳはＸ−Ｙ平面と略平行である。Ｚ軸はプリント配線板の断面方向を示している。
【０００９】
図１（Ａ）に示されるようにプリント配線板１０は、第１面（Ｆ）と第１面と反対側の第２面（Ｓ）を有する樹脂絶縁層５０Ａと樹脂絶縁層の第１面上に形成されている第１導体層５８Ａと樹脂絶縁層の第２面上に形成されている第２導体層５８Ｂと樹脂絶縁層５０Ａを貫通し、第１導体層と第２導体層を接続するビア導体６０Ａを有する。第２導体層はマザーボードと接続するためのパッド３４を有する。図１（Ａ）では、第２導体層５８Ｂは、樹脂絶縁層５０Ａの凹部５１Ａに形成されている。樹脂絶縁層５０Ａは、ガラスクロスやガラス繊維、アラミド繊維などの補強材５２ａを有する。補強材として、ガラスクロスが好ましい。ガラスクロスは第１面Ｆと略平行に樹脂絶縁層内に形成されている。
【００１０】
図１（Ａ）では、樹脂絶縁層５０Ａは１層である。樹脂絶縁層５０Ａのヤング率は９．０Ｇｐａ以上である。樹脂絶縁層５０Ａの破断強度は１６０Ｍｐａ以上である。樹脂絶縁層５０Ａの延び率は１．８％以上である。樹脂絶縁層５０Ａのガラス転移温度は１５５度以上である。樹脂絶縁層５０Ａの熱膨張係数は３０ｐｐｍ／℃以下である。熱膨張係数が１２ｐｐｍ／℃以下であると、実装温度での反りが小さくなる。
ヤング率や破断強度、延び率は、ＪＰＣＡ規格のＪＰＣＡ−ＢＵ０１  ４．２節に準拠して測定されている。測定温度は２３℃である。ガラス転位温度は、ＤＭＡ法やＴＭＡ法で測定されている。熱膨張係数は、樹脂絶縁層のＸ−Ｙ方向の値である。また、熱膨張係数はα１の値である。
樹脂絶縁層の延び率は４．０％以下であることが好ましい。高温での反りが小さくなる。ＩＣチップとプリント配線板間の接続信頼性が高くなる。
【００１１】
図１（Ｂ）に、実施形態のプリント配線板の応用例が示されている。応用例では、樹脂絶縁層は２層であり、応用例の樹脂絶縁層は第１樹脂絶縁層５０Ａと第２樹脂絶縁層５０Ｂで形成されている。第１樹脂絶縁層５０Ａと第２樹脂絶縁層５０Ｂは同一であることが好ましい。第１樹脂絶縁層５０Ａと第２樹脂絶縁層５０Ｂは、図１（Ａ）に示されるプリント配線板の樹脂絶縁層５０Ａと同じ物性を有する。
また、図１（Ｂ）では、プリント配線板上にＩＣチップ９０が実装されている。
【００１２】
樹脂絶縁層が上記の物性値を有するため、プリント配線板１０の強度が高くなる。ヒートサイクルで樹脂絶縁層にクラックが入りがたい。プリント配線板の１辺の長さが３０ｍｍを越えても、プリント配線板にクラックが入りがたい。各樹脂絶縁層の厚みが６０μｍ以下でもプリント配線板にクラックが入りがたい。図１（Ｂ）に示されるＩＣチップは、例えばリフローで実装される。実施形態によれば、リフロー温度でプリント配線板１０が反り難い。ＩＣチップの実装歩留まりが高くなる。
【００１３】
第１実施形態のプリント配線板は、特開平１０−１２５８１９号公報に示される方法により製造される。
【符号の説明】
【００１４】
１０  プリント配線板
３４  パッド
５０Ａ、５０Ｂ  樹脂絶縁層
５２ａ、５２ｂ  補強材
５８Ａ、５８Ｂ、５８Ｃ  導体層
６０Ａ、６０Ｂ  ビア導体
７４，７６  半田バンプ
【図１】
2015103636.tif 000003
(57)【要約】【課題】メガネは高価であり目に合うレンズがない人もいたが、安価でレンズよりよく見える可能性があり視力回復効果も期待できるレンズレス型メガネ及び視力回復器具を提供する。【解決手段】枠（２）にレンズの代わりに格子状のものに放射状に奥行をもたせたもの（１）を設けた特徴とする。【選択図】図１
2015232680.tif 000002
【特許請求の範囲】
【請求項１】
従来のメガネのレンズの代わりに格子状のものに放射状に奥行をもたせたもの（１）を設ける。そしてその形は丸や四角や三角などあらゆる形を含むレンズレス型メガネ及び視力回復器具。
【発明の詳細な説明】
【技術分野】
【０００１】この発明はメガネのレンズの代わりに格子状のものに放射状に奥行をもたせたものにしたレンズレス型メガネ及び視力回復器具に関するものである。
【背景技術】
【０００２】従来メガネにはレンズを使っていた。あるいはピンホールの原理を利用した視力回復メガネを使っていた。
【先行技術文献】
【特許文献】
【０００３】
【発明の概要】
【発明が解決しようとする課題】
【０００４】これは次のような欠点があった。従来のメガネは高額であったり人によっては合うレンズがない場合もあった。またピンホールメガネは原理上穴がまばらにあるだけで見える情報量が少なく常時かけれるものではなかった。
本発明は以上のような欠点をなくすためになされたものである。
【課題を解決するための手段】
【０００５】従来のレンズの部分に格子状のものに放射状に奥行をもたせたもの（１）にする。
本発明は以上の構成よりなるレンズレス型メガネ及び視力回復器具である。
【発明の効果】
【０００６】安価で目にレンズが合わない人でもよく見える可能性のあるメガネである。またピンホールメガネより見えやすく長時間装着できる。
【図面の簡単な説明】
【０００７】
【図１】本発明の正面図である。
【図２】本発明の後面図である。
【図３】本発明の上面図である。
【図４】本発明の断面図である。
【発明を実施するための形態】
【０００８】以下本発明を実施するための形態について説明する。
従来のレンズの部分に格子状のものに放射状に奥行をもたせたもの（１）にする。本発明は以上のような構造である。これを使用するときは普通にかけるだけでよい。
【符号の説明】
【０００９】１  格子状のものに放射状に奥行をもたせたもの
２  枠
【図１】
2015232680.tif 000003
【図２】
2015232680.tif 000004
【図３】
2015232680.tif 000005
【図４】
2015232680.tif 000006
(57)【要約】【課題】  簡易的な構成と操作で、旋律と伴奏の２パート演奏をおこなえる楽器を実現する。【解決手段】  一方の手で操作される音程指示部（１）と、他方の手で操作されるスイッチ群（２）によって、音程指示部（１）で指示された音程を記憶し、その音程を基準にした特定の周波数比の音程を伴奏音として発音する。  スイッチ群（２）の操作により、伴奏音の上記周波数比の選択や、旋律音と伴奏音の音色を切替え、変化のある演奏をおこなうことができる。【選択図】図１
2015232679.tif 000002
【特許請求の範囲】
【請求項１】
一方の手で操作される音程指示部（１）と、他方の手で操作されるスイッチ群（２）によって、音程指示部（１）で指示された音程を記憶し、その音程を基準にした特定の周波数比の音程を伴奏音として発音することによって、音程指示部（１）からの指示により発音される旋律とともに簡易的に伴奏をおこなうことを特徴とする、ポータブル電子楽器。
【請求項２】
スイッチ群（２）の操作により、伴奏音の上記周波数比の選択や、旋律音と伴奏音の音色を切替えることができることを特徴とする、請求項１記載のポータブル電子楽器。
【発明の詳細な説明】
【技術分野】
【０００１】  本発明は、簡易的な構成と操作で、旋律と伴奏の２パート演奏を実現するものである。
【発明の開示】
【発明が解決しようとする課題】
【０００２】  従来のポータブル電子楽器の例として、ギター形キーボードが上げられるが、ギター形キーボードは右手で演奏をおこない、左手は各種の効果を操作するものであるため、旋律と伴奏を同時に演奏することができなかった。
【課題を解決するための手段】
【０００３】  本発明では、左手で操作するスイッチ群に音程の記憶や発音タイミングの指示等の機能を設けることにより、旋律の演奏とともに簡単な伴奏をおこなえるようにしている。
図１（ａ）に本発明の外観を示す。電子楽器として一般的な鍵盤を、音程指示部（１）として用いる。図１（ｂ）に本発明の構成を示す。構成は、処理の流れを示したものであり、ソフトウエアで処理してもかまわない。ソフトウエアでの処理の場合のフローチャートを、図２に示す。
音程指示部（１）からの音程およびタイミングの信号によって、旋律音オシレータ（６）から音の信号を発生するのは、従来と同じである。
本発明では、サンプルスイッチ（２ａ）を押すことにより、音程指示部（１）からの音程信号を音程記憶部（４）に記憶し、周波数比選択スイッチ（２ｂ，２ｃ）によって、音程決定部（５）が記憶された音程から、伴奏音用の音程信号を生成し、伴奏音オシレータ（７）から音の信号を発生させる。
図１（ｃ）に本発明の操作例を示す。白丸は旋律音、黒丸は伴奏音、逆三角はサンプルスイッチ（２ａ）を押したタイミングを示す。
サンプルスイッチ（２ａ）を押したときの旋律音の音程が記憶され、次にサンプルスイッチ（２ａ）が押されるまで保持される。周波数比選択スイッチ（２ｂ）を押すと、記憶された音程より５度下の音程で伴奏音が発音され、周波数比選択スイッチ（２ｃ）を押すと、８度下の伴奏音が発音される。【０００４】  音色の切替えは、複数の楽器を演奏している効果、例えば、伴奏音はダブルベースに固定し、旋律音をバイオリン／フルートで切替えるなど、をもたらすものであるが、伴奏音の音色と旋律音の音色が入れ替わるように設定しても良い。ピアノの高音部を旋律音、低音部を伴奏音とした演奏時に効果が発揮される。
【本発明の効果】
【０００５】  上記のように、本発明によれば、少数のスイッチを操作することで、簡単な伴奏を容易に付加することができ、変化のある演奏をすることができる。また、スイッチと手の位置関係が変わらないので、操作が容易である。
【実施例】
【０００６】  図３（ａ）に本発明の実施例の構成を、図３（ｂ）にスイッチ群の配置を示す。本発明の基本的な構成より、さらに機能を追加している。
リズムトレーススイッチ（２ｅ）を押すと、タイミング信号選択部（９）により、音程指示部（１）からのタイミング信号が、伴奏音オシレータ（７）に与えられる。これにより、キーを押したタイミングで、周波数比選択スイッチ（２ｂ，２ｃ）で選択された音程の伴奏音を発音し、旋律音に重ねることができる。
フルトレーススイッチ（２ｆ）を押すと、タイミング信号選択部（９）により、音程指示部（１）からのタイミング信号とともに、音程決定部（５）により、音程記憶部（４）を介さず、音程指示部（１）からの音程信号を基に、周波数比選択スイッチ（２ｂ，２ｃ）で選択された音程が、伴奏音オシレータ（７）に与えられる。これはオルガンのカプラーに相当する機能である。
トリガ制御スイッチ（２ｇ）には、以下の機能を選択的に割り当てる。
サイレント機能：現在押されているキーの中で、特定の条件（１番低いキーなど）のキーの発音を無効とする。  旋律に対して、任意の不協和音の伴奏音を発生させるときに有効である。
デュアルストローク機能：持続音を持たないギターのようなエンベローブでの発音に対し、キーを押した瞬間だけでなく、離した瞬間にも音程指示部（１）からタイミング信号が発生し、発音する。リズムトレーススイッチ（２ｅ）またはフルトレーススイッチ（２ｆ）を押しているときは、伴奏音側にも同じ効果が現れる。  速弾きに有効である。
スイッチ操作は、手で操作するスイッチに限らず、傾きスイッチを使用しても良い。【０００７】  ソフトウエアでの処理の場合は、図３（ｃ）のように、スイッチ操作の組み合わせにより、さらに機能を追加することもできる。この例では、ホールド機能の動作を示す。音色切替えスイッチ（２ｄ）とフルトレーススイッチ（２ｆ）を同時に押した瞬間、そのとき押されているキーによる旋律音を、フルトレーススイッチ（２ｆ）を離すまで持続させ、次に押されたキーで伴奏音を発音させる。これにより、旋律音を持続させながら、キーで伴奏を続けることができる。
【図面の簡単な説明】
【０００８】
【図１】  本発明の構成図である。
【図２】  本発明の動作フローチャートである。
【図３】  本発明の実施例の構成図である。
【符号の説明】
【０００９】  １．  音程指示部
２．  スイッチ群
２ａ．  サンプルスイッチ
２ｂ．  周波数比選択スイッチ
２ｃ．  周波数比選択スイッチ
２ｄ．  音色切替えスイッチ
２ｅ．  リズムトレーススイッチ
２ｆ．  フルトレースイッチ
２ｇ．  トリガ制御スイッチ
３．  エンコーダ
４．  音程記憶部
５．  音程決定部
６．  旋律音オシレータ
７．  伴奏音オシレータ
８．  スピーカー
９．  タイミング信号選択部
【図１】
2015232679.tif 000003
【図２】
2015232679.tif 000004
【図３】
2015232679.tif 000005
(57)【要約】      （修正有）【課題】災害に対処できる新鮮水を確保する水槽を提供する。【解決手段】函体３は、長く細い導水配管４をきっちり折りたたみパックして水道局メーターと蛇口の中間に設置する。家庭用日常給水は全て導水配管４を貫流するので、水交換や防腐剤等は不要であり、災害が発生する瞬間まで函体３に新鮮水が貫流備蓄される。函体３が災害で通常設定位置より傾斜又は倒壊すると、入出口パイプが瞬時に遮蔽して函体３の新鮮水が漏出せず使用時まで確保される。【選択図】図１
2015232249.tif 000002
【特許請求の範囲】
【請求項１】
本案水槽の構造は長く細いパイプをきっちり折りたたみパックして水道局メーターと蛇口の中間に設置する。
家庭用日常給水は全て本案の水槽内のパイプを貫流するので水交換や防腐剤等は不要で、震災・災害等が発生する瞬間まで水槽内に新鮮水が貫流備蓄される。
【請求項２】
本案の水槽が地震等で通常設定位置より傾斜又は倒壊すると入出口パイプが瞬時に遮蔽して水槽内の新鮮水が漏出せず使用時まで確保される。
【発明の詳細な説明】
【技術分野】
【０００１】風水害・地震・津波が多発する我が国でいつ発生するか分からない震災・災害時の為に一般家庭では、せめて災害時に身を守る一手段として、常に飲料水を確保する為にペットボトル・ポリ容器等を使用している。
【背景技術】
【０００２】  しかし、ペットボトル・ポリ容器の容量は数リットル前後で複数の人間がある程度生き延びるには相当数の本数が必要となる。且つ購入料金も水道水より割高である。
又、容器の生水は飲料水にも利用する為、長期間の保存に防腐剤等は制限され、腐敗を免れるための手段として一定期間毎に新水に交換しなければならない。
【発明が解決しようとする課題】
【０００３】  そこで本案はこれらの欠点を無くし何時如何なる災害にも対処できる新鮮水を確保することを目的とした。
【課題を解決するための手段】
【０００４】  従来の水槽は一定量の水を貯めるだけで腐敗の構造はペットボトル・ポリの容器等と同じである。
本案は水槽の入水口から出水口迄、自然の理である平野を流れる大河の流れを幾つも幾つも折りたたんできっちりとコンパクトにした貫流する水槽である。
【発明の効果】
【０００５】  この水槽を水道局メーターと家庭蛇口の中間の外壁に設置することで家庭用水を日常使用の都度、本案の水槽を貫流する為、水槽内は常に新鮮水が満タン状態で常蓄される。
既存の補給水槽は保存水を入替ない場合、時間を経ると日射、沈殿等の影響を受け飲料できないが、本案の水槽は水道局メーターと蛇口の中間に設置しているので家庭用日常給水の新鮮水は全て本案の水槽を貫流する。
本案の水槽で災害時使用できる容量は人間が生きる為の摂取量は１人１日２Ｌで３２日間、３人では１０日間、４人家族で８日間摂取できる。又、本案の容量は必要に応じたサイズに変更できるので、その利用量は無限である。
【図面の簡単な説明】
【０００６】
【図１】  一部断面（４）の斜視図である。
【図２】  一部断面（４）の側面図である。
【図３】  一部断面（４）の正面図である。
【図４】  一部断面（４）の平面図である。
【図１】
2015232249.tif 000003
【図２】
2015232249.tif 000004
【図３】
2015232249.tif 000005
【図４】
2015232249.tif 000006